(57)【特許請求の範囲】
【請求項１】
引掛シーリングに着脱可能に取り付けられるアダプタベースと、該アダプタベースの左右両側にそれぞれ配置されて、径方向に移動可能な一対の係止部材と、これら係止部材の外端部に形成されて前記アダプタベースから出没する係止爪と、前記係止部材を係止爪が突出する方向に付勢する付勢手段と、前記アダプタベースに装着されてその下面から突出した左右一対の解除片とを備えたアダプタから成る天井直付け照明器具取付装置において、
前記アダプタベースの下面を閉鎖する下蓋を有し、前記下蓋は、前記一対の係止部材にそれぞれ形成された上下方向の貫通孔の下方にそれぞれ位置する左右の透孔が形成され、前記左右の透孔は、その両側方に前記透孔に連通されると共に前記下蓋の上面から厚み半分に達する溝がそれぞれ形成され、
前記左右一対の解除片は、それぞれ上部を内側に向けて屈曲形成されると共に、屈曲角部の両側にそれぞれ支持軸が突出され、
前記左右一対の解除片の各々は、前記両側の支持軸が前記下蓋に形成された前記左右の透孔の前記両側の各溝に上方から係合されて前記アダプタベースに回動自在に取り付けられ、前記各解除片の上部が前記各係止部材の前記貫通孔に差し込まれて係合されると共に、前記解除片の下部を離間方向へ回動操作することにより、前記係止部材が前記付勢手段の付勢力に抗して移動し、前記係止爪が前記アダプタベース内に没入するものであることを特徴とした天井直付け照明器具取付装置。
【請求項２】
前記付勢手段がコイルバネより成り、前記一対の係止部材が同一直径上に配置され、その内端部に１本のコイルバネの両端がそれぞれ当接された請求項１に記載の天井直付け照明器具取付装置。
【発明の詳細な説明】
【０００１】
【発明の属する技術分野】
本発明は、天井へ固定された引掛シーリングに着脱可能に取り付けられ、出没自在の係止爪を有するアダプタと、アダプタから突出した係止爪で支持される照明器具本体とを備えた天井直付け照明器具取付装置に関する。
【０００２】
【従来の技術】
引掛シーリングへ取り付けられるアダプタベースの左右両側に、係止部材をそれぞれ径方向に移動可能に配置すると共に、係止部材の先端に照明器具本体に対して着脱自在に係合する係止爪をアダプタベースから出没するよう形成し、係止部材を係止爪が突出する方向に付勢し、係止部材の下面に設けた解除突片をアダプタベースの下面に露出した天井直付け照明器具取付装置が特開２０００−１１７４０号公報に開示されている。
【０００３】
これによれば、係止爪がアダプタベースから突出した常態において、照明器具本体を係止爪に係合させて支持し、また、解除突片を操作して係止爪を没入させることにより照明器具本体を取り外すことができる。
ところが、この天井直付け照明器具取付装置は、係止部材及びこれと一体の解除突片がアダプタベースの径方向左右両側に配置されているため、係止爪を没入させるには解除突片をアダプタベースの中心寄りに移動させなければならないが、アダプタベースから張り出した照明器具本体が落下しないよう両手で支えながら、解除突片を親指の背で中心方向へ押すのは手指の構造上困難であった。
【０００４】
そこで、照明器具本体を支えながらでも比較的容易に係止爪を没入操作できるものとして、アダプタベースの下面に露出する解除突片を外周寄りに移動させることにより、係止爪をアダプタベース内に没入させる天井直付け照明器具取付装置が特開２０００−３０５２３号公報に開示されている。
しかし、このものは、左右の係止部材に逆側へ達する連結バーを装着すると共に、連結バー同士を互いにクロスさせ、その先端に解除突片を取り付けてあるので、部品数が多くて構造が複雑になり、組立にも手間がかかり、この結果、コストが高く付いた。
【０００５】
【発明が解決しようとする課題】
この発明は、構造が簡単で軽量であり、組み立てが容易でコストが低廉な天井直付け照明器具取付装置を提供することを課題とする。
【０００６】
【課題を解決するための手段】
本発明の天井直付け照明器具取付装置は、引掛シーリングに着脱可能に取り付けられるアダプタベースと、該アダプタベースの左右両側にぞれぞれ配置されて、径方向に移動可能な一対の係止部材と、これら係止部材の外端部に形成されて前記アダプタベースから出没する係止爪と、前記係止部材を係止爪が突出する方向に付勢する付勢手段と、前記アダプタベースに装着されてその下面から突出した左右一対の解除片とを備えたアダプタから成り、
前記アダプタベースの下面を閉鎖する下蓋を有し、前記下蓋は、前記一対の係止部材にそれぞれ形成された上下方向の貫通孔の下方にそれぞれ位置する左右の透孔が形成され、前記左右の透孔は、その両側方に前記透孔に連通されると共に前記下蓋の上面から厚み半分に達する溝がそれぞれ形成され、
前記左右一対の解除片は、それぞれ上部を内側に向けて屈曲形成されると共に、屈曲角部の両側にそれぞれ支持軸が突出され、
前記左右一対の解除片の各々は、前記両側の支持軸が前記下蓋に形成された前記左右の透孔の前記両側の各溝に上方から係合されて前記アダプタベースに回動自在に取り付けられ、前記各解除片の上部が前記各係止部材の前記貫通孔に差し込まれて係合されると共に、前記解除片の下部を離間方向へ回動操作することにより、前記係止部材が前記付勢手段の付勢力に抗して移動し、前記係止爪が前記アダプタベース内に没入するものである。
【０００７】
係止部材をアダプタベースの左右両側に配置し、解除片を直接係止部材に係合した構成により、掛止部材を逆側まで延ばして互いにクロスさせたものと比較して、部品点数が少なく構造が簡単になり、組立も容易となる。
解除片の下部を外周方向へ回動させた時に係止爪が没入するようにした結果、照明器具本体を両手で支えたまま、親指を解除爪に掛けて他の指に引き寄せるだけで、係止爪を照明器具本体から外すことができ、照明器具本体の取り外し作業が容易となる。
【０００８】
付勢手段をコイルバネとし、一対の係止部材を同一直径上に配置して、その内端部に１本のコイルバネの両端をそれぞれ当接しても良い。
係止部材を付勢するコイルバネが１本で済むため、さらに構造が簡単になる。
【０００９】
【発明の実施の形態】
図１乃至図９は、第１の実施形態を示す。
図９に示すように、本発明の天井直付け照明器具取付装置１は、天井２へ固定された引掛シーリング３に着脱可能に取り付けられるアダプタ４と、アダプタ４に対して着脱自在に取り付けられる照明器具本体５とから成る。
引掛シーリング３の下面には一対の円弧状の受け口６が形成され、受け口６の奥部に屋内配線と接続された図示しない端子が設置されている。
【００１０】
アダプタ４は、図１及び図２に示すように、下面が開口する中空円筒状のアダプタベース７と、アダプタベース７内部の左右両側にそれぞれ配置されて、径方向に移動可能な一対の係止部材８とから成る。
アダプタベース７の下面は下蓋９で閉鎖され、アダプタベース７の上面には引掛シーリング３の受け口６に抜挿可能な一対の栓刃１０が突出される（図４，図５）。そして、栓刃１０を引掛シーリング３の受け口６の幅広部に挿入してから、幅狭部方向に移動させて引っ掛けることにより、栓刃１０が引掛シーリング３の端子に電気的に接続されると共に、アダプタ４が引掛シーリング３にロックした状態で取り付けられる。なお、アダプタベース７の側面には、アダプタ４の引掛シーリング３に対する取り外し方向への回動規制を解除するための操作スイッチ１１が設けられている。
【００１１】
図１及び図２に示すように、アダプタベース７の一直径の両端には、それぞれ側面を切り欠いて開口部１２が形成され、前記一直径の中心部寄りには一対のバネ取付片１３が開口部１２と対向するよう設けられる。これらのバネ取付片１３には開口部１２方向に突出する突起１４が形成されている。
そして、バネ取付片１３の外方には、それぞれ係止部材８が前記一直径上に並ぶように、且つ、この直径に沿って移動可能に収納されている。
【００１２】
係止部材８の外端部には、係止部材８の移動に伴ってアダプタベース７の開口部１２から出没する係止爪１５が形成されている。係止爪１５の下面は、先端に近づくほど上向きに傾斜したテーパー面１５’となっている。
また、係止爪１５よりやや内側において係止部材８には上下方向に貫通する貫通孔１６が形成され、係止部材８の上面内側端部には、バネ係合溝１７が形成されている。
さらに、コイルバネ１８より成る付勢手段の一端部がアダプタベース７の突起１４に外嵌されると共に、他端がバネ係合溝１７の奥端面に当接され、これによって係止部材８はその係止爪１５がアダプタベース７の側面から突出する方向に付勢されている。
【０００１３】
係止部材８の貫通孔１６と対応する位置において、下蓋９には透孔１９が形成され、係止爪１５をアダプタベース７内へ没入させるための解除片２０が、透孔１９を通してアダプタベース７の下面に突出している。
透孔１９の下半部は下方に行くほど径大となっており、上半部の内側周面は上方内向きに傾斜している。また、各透孔１９の前後両側には、下蓋９の上面から厚みの半分に達する溝２１がそれぞれ形成されている（図８）。
なお、下蓋９の下方には、栓刃１０と電気的に接続された接続コード２３が延びており、接続コード２３の先端に電源コネクタ２４が装着されている（図３，図９）。
【００１４】
図６乃至図８に示すように、解除片２０は、上部を内側に向けて屈曲した略く字状に形成され、その屈曲角部の両側面に支持軸２２が突出している。また、支持軸２２を下蓋９の溝２１に係合することにより、解除片２０はアダプタベース７へ支持軸２２を中心に回動自在に取り付けられる。
このため、解除片２０はその支持軸２２を上方から溝２１に係合するだけで取り付けられ、溝２１に対して上方へ移動するだけで容易にアダプタベース７から離脱できる。
そして、解除片２０の下部は透孔１９を通してアダプタベース７の下面に露出しており、解除片２０の上部は係止部材８の貫通孔１６に差し込まれて、係止部材８がアダプタベース７の開口部１２から脱出するのを規制している。
【００１５】
常態においては、図１及び図４に示すように、コイルバネ１８に付勢された係止部材８が外周寄りに位置して係止爪１５が開口部１２から突出する。この時、解除片２０の上部が貫通孔１６の奥壁に押圧され、外周寄りに位置して透孔１９の上半部外側周面に当接すると共に、解除片２０の下部が内側に位置して透孔１９の下半部内側周面に当接し、それ以上の回動が規制されて、係止部材８が脱出しないようになっている。
図２及び図５に示すように、解除片２０の下部を支持軸２２を中心として離間方向（矢印Ａ方向）へ回動操作すると、解除片２０の上部が内側に回動して貫通孔１６の奥壁を押すため、係止部材８が径方向に沿って内側（矢印Ｂ方向）に移動し、この結果、係止爪１５がアダプタベース７内に没入する。
【００１６】
図９に示すように、照明器具本体５は、図示しない照明灯を被覆するカバー２５を有し、カバー２５の中央にアダプタ４を挿通するための円形孔２６が形成されている。
また、照明器具本体５からは照明灯に電力を供給するための接続コード２７が延び、接続コード２７の先端に、アダプタ４の電源コネクタ２４と着脱自在に接続されるコネクタ２８が装着されている。
【００１７】
照明器具本体５を天井２へ取り付けるには、引掛シーリング３に装着されたアダプタ４と円形孔２６とを一致させてから、カバー２５を押し上げる。すると、円形孔２６の縁が係止爪１５にぶつかるが、係止爪１５の下面はテーパー面１５’となっているので、円形孔２６の縁はこのテーパー面１５’に沿って上昇しながら、係止部材８を内側に押しのける。
そして、カバー２５が完全に係止爪１５の上方まで移動すると、係止部材８はコイルバネ１８に押されて外周寄りに移動し、この結果、係止爪１５がアダプタベース７の側方に突出して円形孔２６の縁部下面に係合し、照明器具本体５を支持する。
【００１８】
照明器具本体５を取り外す場合は、カバー２５を両手で支えながら、アダプタベース７の下面に露出した解除片２０の下部に両手の親指を掛け、親指を他の指に引き寄せて解除片２０の下部を離間方向に回動させる。
すると、解除片２０の上部が内側に回転して係止部材８を中心方向に押圧するため、係止部材８がコイルバネ１８の付勢力に抗して内側に移動し、係止爪１５がアダプタベース７の内部に没入する。
この結果、係止爪１５と円形孔２６の縁部との係合が解除されて、照明器具本体５を下降させることができる。
解除片２０を解放すると、係止部材８はコイルバネ１８に押されて外周方向に移動し、係止爪１５が突出する。
【００１９】
図１０及び図１１は本発明の第２の実施形態を示す。
アダプタベース７にバネ取付片１３を設けず、アダプタベース７の一直径上両側に係止部材８を配置してある。
また、１本のコイルバネ１８の両端部を左右の係止部材８のバネ係合溝１７に嵌め入れて、コイルバネ１８の両端を係止部材８の内端面（バネ係合溝１７の奥壁）に当接させてある。
そして、コイルバネ１８により係止部材８を、その係止爪１５がアダプタベース７から突出する方向に付勢する（図１０）。
図１１に示すように、解除片２０の下部を離間方向へ回動操作すると、解除片２０の上部が係止部材８を内側へ押し込むと共に、コイルバネ１８が両側から押しつぶされ、係止爪１５がアダプタベース７内に没入する。
その他の構成及び照明器具本体５の着脱方法は、第１の実施形態とほぼ同様である。
【００２０】
【発明の効果】
請求項１に係る発明によれば、照明器具本体を両手で支えながら、解除片の下部に掛けた親指を引き寄せて解除片の下部を離間方向へ回動操作するだけで、簡単に照明器具本体を取り外すことができ、しかも、左右の係止部材を互いにクロスさせたものと比較して嵩張らず、部品数が少なくて済むと共に、組立も容易であるため、製造コストを引き下げることが可能である。
請求項２に係る発明によれば、係止部材を付勢するコイルバネが１本で済むため、いっそう構造が簡単になる。
【図面の簡単な説明】
【図１】第１の実施形態に係るアダプタの係止爪突出時の断面図
【図２】第１の実施形態に係るアダプタの係止爪没入時の断面図
【図３】アダプタの斜視図
【図４】アダプタの係止爪突出時の側面図
【図５】アダプタの係止爪没入時の側面図
【図６】常態における係止部材及び解除片の斜視図
【図７】解除片を回動操作した時の係止部材及び解除片の斜視図
【図８】下蓋及び解除片の分解斜視図
【図９】天井直付け照明器具取付装置の分解斜視図
【図１０】第２の実施形態に係るアダプタの係止爪突出時の断面図
【図１１】第２の実施形態に係るアダプタの係止爪没入時の断面図
【符号の説明】
１  天井直付け照明器具取付装置
２  天井
３  引掛シーリング
４  アダプタ
５  照明器具本体
６  受け口
７  アダプタベース
８  係止部材
９  下蓋
１０  栓刃
１１  操作スイッチ
１２  開口部
１３  バネ取付片
１４  突起
１５  係止爪
１５’  テーパー面
１６  貫通孔
１７  バネ係合溝
１８  コイルバネ（付勢手段）
１９  透孔
２０  解除片
２１  溝
２２  支持軸
２３  接続コード
２４  電源コネクタ
２５  カバー
２６  円形孔
２７  接続コード
２８  コネクタ
【図１】
0004146122.tif 000002
【図２】
0004146122.tif 000003
【図３】
0004146122.tif 000004
【図４】
0004146122.tif 000005
【図５】
0004146122.tif 000006
【図６】
0004146122.tif 000007
【図７】
0004146122.tif 000008
【図８】
0004146122.tif 000009
【図９】
0004146122.tif 000010
【図１０】
0004146122.tif 000011
【図１１】
0004146122.tif 000012